(57)【要約】【課題】  洗濯機のサイズを縮小するか、または同一のサイズにおいて洗濯機の容量を大きくすることができ、乾燥装置を備えているので、洗濯物を乾燥させることができるドラム洗濯機を提供する。【解決手段】  キャビネットと、キャビネットの内部に直接固設されるタブと、タブの内部に設けられ、洗濯が行われるドラムと、タブの後方に設けられ、ドラムを回転させるモータと、ドラムとモータとの間の回転軸からキャビネットに連結され、ドラムを回転可能に支持する支持装置と、タブの後面に設けられ、回転軸とタブとの間を緩衝するとともに、タブの後面をシールする緩衝シール機構と、タブの一方からタブの他方に連結され、ドラム中の空気を循環させながらドラム中の洗濯物を乾燥させる乾燥装置と、を備える。【選択図】      図２
2006212413.tif 000002
【特許請求の範囲】
【請求項１】
キャビネット５０と、
前記キャビネット５０の内部に直接固設されるタブ５５と、
前記タブ５５の内部に設けられ、洗濯が行われるドラム６０と、
前記タブ５５の後方に設けられ、前記ドラム６０を回転させるモータ６６と、
前記ドラム６０と前記モータ６６との間の回転軸６９から前記キャビネット５０に連設され、前記ドラム６０を回転可能に支持する支持装置７５と、
前記タブ５５の後面に設けられ、前記回転軸６９と前記タブ５５との間の空間を緩衝するとともに、前記タブ５５の後面をシールする緩衝シール機構８０、８５と、
前記タブ５５の一方から前記タブ５５の他方に連設され、前記ドラム６０中の空気を循環させながら前記ドラム６０中の洗濯物を乾燥させる乾燥装置１００と、
を備えることを特徴とするドラム洗濯機。
【請求項２】
前記乾燥装置１００が、前記タブ５５の外側面から前記タブ５５の前面側に連設される循環ダクト１１０と、前記循環ダクト１１０の入口側に設けられ、湿った空気を凝縮させる凝縮機構１２０と、前記循環ダクト１１０上に設けられ、空気を強制循環させる送風機１３０と、前記循環ダクト１１０上に設けられ、循環空気を加熱するヒータ１４０と、を備えることを特徴とする請求項１に記載のドラム洗濯機。
【請求項３】
前記凝縮機構１２０が、前記タブ５５の側面に設けられ、湿った空気を凝縮させる金属材質の凝縮プレート１２５と、前記循環ダクト１１０の入口部またはタブ５５から前記凝縮プレート１２５側へ湿った空気を凝縮するための水を供給する冷却水供給部１２２と、を備えることを特徴とする請求項２に記載のドラム洗濯機。
【請求項４】
前記循環ダクト１１０が、前記タブ５５の外側面から送風機１３０まで連設された入口ダクト１１１と、前記送風機１３０の出口から前記タブ５５の前面まで連設され、内部にヒータ１４０が設けられたヒータダクト１１３と、前記ヒータダクト１１３から前記タブ５５の前面まで連設される連結ダクト１１５と、で構成されることを特徴とする請求項２に記載のドラム洗濯機。
【請求項５】
前記凝縮機構１２０が、前記タブ５５の側面に設けられ、湿った空気を凝縮させる金属材質の凝縮プレート１２５と、前記循環ダクト１１０の入口部またはタブ５５から前記凝縮プレート１２５側へ湿った空気を凝縮するための水を供給する冷却水供給部１２２と、を備えることを特徴とする請求項４に記載のドラム洗濯機。
【請求項６】
前記タブ５５には、前記ヒータダクト１１３を支持するためのダクトブラケット１５０が設けられることを特徴とする請求項４に記載のドラム洗濯機。
【請求項７】
前記タブ５５と前記ドラム６０との間には、前記タブ５５と前記ドラム６０との間の開口部を塞ぐとともに、前記タブ５５と前記ドラム６０との衝突を防ぐガスケット５８、６４が設けられることを特徴とする請求項２に記載のドラム洗濯機。
【請求項８】
前記ガスケット５８、６４が、前記ドラム６０に固定され、前記タブ５５方向に延長するドラムガスケット６４と、前記キャビネット５０またはタブ５５に固定され、前記ドラム６０方向に延長するタブガスケット５８と、で構成されることを特徴とする請求項７に記載のドラム洗濯機。
【請求項９】
前記循環ダクト１１０の出口部が、前記ドラムガスケット６４と前記タブガスケット５８との間に設けられることを特徴とする請求項８に記載のドラム洗濯機。
【請求項１０】
キャビネット５０と、前記キャビネット５０の内部に設けられるタブ５５と、前記タブ５５の内部に設けられ、洗濯が行われるドラム６０と、前記タブ５５の後方に設けられ、前記ドラム６０を回転させるモータ６６と、前記タブ５５の一方から前記タブ５５の前方に連設され、前記ドラム６０中の空気を循環させながら前記ドラム６０中の洗濯物を乾燥させる乾燥装置１００と、前記タブ５５と前記ドラム６０との間に設けられ、前記乾燥装置１００を循環する空気を前記ドラム６０の内部へ導く乾燥空気案内部材６４と、を備えることを特徴とするドラム洗濯機。
【発明の詳細な説明】
【技術分野】
【０００１】
本発明は、ドラム洗濯機に関し、より詳細には、キャビネットの内側にタブが直接連設され、乾燥装置を備えたドラム洗濯機に関する。
【背景技術】
【０００２】
一般に、洗濯機は、洗濯機能のみを有する洗濯機と、洗濯機能と乾燥機能を有する洗濯乾燥機とに大別される。
【０００３】
図１は、前記洗濯機のうち従来の乾燥装置が備えられたドラム洗濯機の内部構成を示す側断面図である。
【０００４】
図１に示すように、従来のドラム洗濯機は、キャビネット２の内側にバネ４及びダンパー６で支持されたタブ１０と、前記タブ１０の内側に設けられ、洗濯物が収容されるドラム２０と、前記ドラム２０の前方を開閉するように、前記キャビネット２に連結されたドア２２と、前記タブ１０に熱風を吐き出すように、前記タブ１０の上部に設けられ、ヒータ２６及び送風機２７が内蔵されたヒータダクト３０と、一方が前記タブ１０の側面下部に連結され、他方が前記ヒータダクト３０に連結されて循環する空気の湿気を凝縮させる凝縮ダクト４０と、を備えている。
【０００５】
前記タブ１０には、前記ドア２２を閉めたとき、前記ドア２２と密着して前記ヒータダクト３０が連結されるガスケット１２が取り付けられている。
【０００６】
前記タブ１０には、前記ドラム２０を回動させるモータ１４が設けられる。
前記タブ１０には、洗濯またはすすぎの際に、前記タブ１０の内部へ洗濯水またはすすぎ水を供給する給水装置１５が連結されている。また、前記タブ１０の下部には、排水装置１６が連結されている。
【０００７】
前記排水装置１６は、前記タブ１０の下部に連結された排水ベローズ１７と、前記排水ベローズに連結された排水ポンプ１８と、前記排水ポンプ１８に連結された排水ホース１９と、を備えている。
【０００８】
前記ドラム２０には、その周縁部または背面部に洗濯水または空気が通過する通孔２１が形成されている。
【０００９】
前記ドラム２０には、内周面に洗濯物を流動させるリフタ２４が取り付けられている。
前記送風機２７は、前記ヒータダクト３０の内部に回転可能に配置された循環ファン２８と、前記循環ファン２８を回転させるように、前記ヒータダクトに設置されたファンモータ２９と、を備えている。
【００１０】
前記凝縮ダクト４０には、洗濯物を乾燥させながら循環する空気中の湿気が凝縮するように、凝縮用冷却水を前記凝縮ダクト４０の内部に供給する冷却水供給器４２が連結されている。
【００１１】
前記冷却水供給器４２は、外部ホース４３に連結され、外部ホースから供給される凝縮用冷却水を断続する冷却水弁４４と、前記冷却水弁を通過した凝縮用冷却水を前記凝縮ダクト４０の内部に案内する冷却水ホース４５と、を備えている。
【００１２】
以下、このように構成された従来のドラム洗濯機の動作について説明する。
先ず、前記ドラム２０の内部に洗濯物を投入した後、前記ドア２２を閉めて洗濯機を作動させると、前記給水装置１５から洗濯水が給水される。給水された洗濯水は、前記タブ１０の内部に供給され、前記タブ１０の内部に入れられ、前記ドラム２０の通孔２１から前記ドラム２０の内部に流入されて洗濯物が浸されるようになる。
【００１３】
このような洗濯水の給水が行われた後、前記モータ１４が駆動すると、前記ドラム２０は回転され、前記ドラム２０の内部の洗濯物は前記ドラム２０の内部で流動しながら洗濯水の作用によって付いた汚れが落ちるようになる。このような洗濯行程が終了した後、前記排水装置１６から前記タブ１０内部の汚れた洗濯水を前記ドラム洗濯機の外部へ排水する。
【００１４】
その後、洗濯物に残留する洗剤泡を取り除くためのすすぎ行程が数回行われるので、洗い行程と同様に前記給水装置１５と前記モータ１４を制御して、洗濯物に残留する洗剤泡を取り除き、洗剤泡を含む汚れた水を前記排水装置１６から前記ドラム洗濯機の外部へ排水させる。
このような数回のすすぎ行程の以降、洗濯物の水気を遠心脱水させる脱水行程が行われる。前記モータ１４を高速駆動させて前記洗濯物を遠心脱水させ、洗濯物から脱水された水を前記排水装置１６から前記ドラム洗濯機の外部へ排水させる。
【００１５】
その後、前記ドラム洗濯機は、洗濯物を乾燥させる乾燥行程を行う。
先ず、前記ドラム洗濯機は、前記モータ１４を駆動させて前記ドラム２０を回転させ、前記ドラム２０内部の洗濯物は前記ドラム２０内で流動する。また、前記ヒータ２６がオンされて前記ドラム２０内の温度を昇温させ、前記ファンモータ２９が駆動されて前記循環ファン２８を回転させ、前記冷却水弁４４と前記排水ポンプ１８は、設定時間の間隔でオン／オフを繰り返す。
【００１６】
前記循環ファン２８の回転によって、前記ドラム２０内部の空気は、洗濯物と接触しながら洗濯物の熱と水分を奪って低温多湿に変わり、前記通孔２１を通って前記ドラム２０と前記タブ１０との間に移動した後、前記凝縮ダクト４０に流入され、前記凝縮ダクト４０を通過しながら凝縮用冷却水によって凝縮される。
【００１７】
前記凝縮ダクト４０を通った空気は、前記ヒータダクト３０を通過するとともに、前記ヒータ２６で加熱されて熱風に変わり、熱風は前記ガスケット１２を通って前記ガスケット１２の内側に吐き出され、前記ドラム２０の内部へ循環されてから、このような循環を繰り返しながら洗濯物を乾燥させる。
【００１８】
また、前記凝縮ダクト４０に供給された凝縮用冷却水は、前記凝縮ダクト４０を通って前記タブ１０に集まり、前記排水ポンプ１８によって周期的にポンピングされて外部に排水される。
【００１９】
このような熱風乾燥を一定時間の間行った後、前記ヒータ２６をオフさせ、前記ドラム２０と前記循環ファン２８のみを回転させて冷風乾燥を行う。
【００２０】
前記ドラム洗濯機は、冷風乾燥が設定時間の間行われると、前記循環ファン２８と前記モータ１４を停止させ、乾燥行程は終了する。
【００２１】
しかしながら、上述したような従来の乾燥装置を備えた前記ドラム洗濯機は、前記ヒータダクト３０に連結されたインレットダクト３１が前記ガスケット１２に連設されるため、前記キャビネット２と前記タブ１０との間の空間が必要となり、洗濯機の全体外形のサイズが大きくなるという問題があった。
【００２２】
また、前記インレットダクト３１から吐き出された空気中の一部が前記ドラム２０の内部を通らず、前記タブ１０と前記ドラム２０との間の開口部から直接前記タブ１０の内部へ流入されてから排出されるため、洗濯物の乾燥効率が劣るという問題があった。
【発明の開示】
【発明が解決しようとする課題】
【００２３】
本発明は、上述の問題点に鑑みてなされたもので、その目的は、キャビネットとタブが一体として設置されることにより、洗濯機のサイズを縮小することができるとともに、乾燥装置を備えて洗濯物を洗濯後にすぐに乾燥させることができるドラム洗濯機を提供することにある。
【００２４】
また、本発明の他の目的は、乾燥空気が循環されるダクトがタブとドラムとの間のガスケットを介さずに直接タブの内側に連結され、タブとドラムの開口部との間にはドラムガスケットが設けられることによって、ドラムの内部へ流入する有効風量を極大化して洗濯物の乾燥効率を高めることができるドラム洗濯機を提供することにある。
【課題を解決するための手段】
【００２５】
上記目的を達成すべく、本発明の一側面によれば、キャビネットと、前記キャビネットの内部に直接固設されるタブと、前記タブの内部に設けられ、洗濯が行われるドラムと、前記タブの後方に設けられ、前記ドラムを回転させるモータと、前記ドラムと前記モータとの間の回転軸から前記キャビネットに連結され、前記ドラムを回転可能に支持する支持装置と、前記タブの後面に設けられ、前記回転軸と前記タブとの間を緩衝するとともに、前記タブの後面をシールする緩衝シール機構と、前記タブの一方から前記タブの他方に連結され、前記ドラム中の空気を循環させながら前記ドラム中の洗濯物を乾燥させる乾燥装置と、を備えることを特徴とする、ドラム洗濯機が提供される。
【００２６】
前記乾燥装置は、前記タブからの外側面から前記タブの前面側に連結される循環ダクトと、前記循環ダクトの入口側に設けられ且つ湿った空気を凝縮させる凝縮機構と、前記循環ダクト上に設けられ且つ空気を強制循環させる送風機と、前記循環ダクト上に設けられ且つ循環空気を加熱するヒータと、を備えることが好ましい。
【００２７】
前記凝縮機構は、前記タブの側面に設けられ且つ湿った空気を凝縮させる金属材質の凝縮プレートと、前記循環ダクトの入口部またはタブから前記凝縮プレート側へ湿った空気を凝縮するための水を供給する冷却水供給部と、を備えることが好ましい。
【００２８】
前記循環ダクトは、前記タブの外側面から送風機まで連結された入口ダクトと、前記送風機の出口から前記タブの前面まで連結され、内部にヒータが設けられたヒータダクトと、前記ヒータダクトから前記タブの前面まで連結される連結ダクトと、で構成されることが好ましい。
【００２９】
前記タブには、前記ヒータダクトを支持するためのダクトブラケットが設けられることが好ましい。
【００３０】
前記タブと前記ドラムとの間には、前記タブと前記ドラムとの間の開口部を塞ぐとともに、前記タブと前記ドラムとの衝突を防ぐガスケットが設けられることが好ましい。
【００３１】
前記ガスケットは、前記ドラムに固定され、前記タブ方向に延長するドラムガスケットと、前記キャビネットまたはタブに固定され、前記ドラム方向に延長するタブガスケットと、で構成されることが好ましい。
【００３２】
前記循環ダクトの出口部は、前記ドラムガスケットと前記タブガスケットとの間に設けられることが好ましい。
【００３３】
本発明の他の側面によれば、キャビネットと、前記キャビネットの内部に設けられるタブと、前記タブの内部に設けられ、洗濯が行われるドラムと、前記タブの後方に設けられ、前記ドラムを回転させるモータと、前記タブの一方から前記タブの前方に連結され、且つドラム中の空気を循環させながら前記ドラム中の洗濯物を乾燥させる乾燥装置と、前記タブと前記ドラムとの間に設けられ、前記乾燥装置を循環する空気を前記ドラムの内部へ導く乾燥空気案内部材と、を備えることを特徴とする、ドラム洗濯機が提供される。
【００３４】
前記乾燥空気案内部材は、前記タブと前記ドラムとの間に設けられ、前記タブと前記ドラムとの間の開口部の周囲を塞ぐガスケットからなることが好ましい。
前記ガスケットは、前記ドラムに固定され、前記タブ方向に延長するドラムガスケットからなることが好ましい。
【００３５】
本発明のさらに他の側面によれば、キャビネットと、前記キャビネットの内部に直接固設されるタブと、前記タブの内部に設けられ、洗濯が行われるドラムと、前記タブの後方に設けられ、前記ドラムを回転させるモータと、前記ドラムと前記モータとの間の回転軸から前記キャビネットに連結され、前記ドラムを回転可能に支持する支持装置と、前記タブの後面に設けられ、前記回転軸と前記タブとの間を緩衝するとともに、前記タブの後面をシールする緩衝シール機構と、前記タブと前記ドラムとの間に設けられ、前記タブと前記ドラムとの間の開口部の周囲を塞ぐとともに、前記タブと前記ドラムの衝突を防ぐガスケットと、前記タブの後方から前記タブの前方に連結され、前記ドラム中の空気を循環させながら前記ドラム中の洗濯物を乾燥させる乾燥装置と、を備えることを特徴とする、ドラム洗濯機が提供される。
【００３６】
前記乾燥装置は、前記タブの後方から前記ガスケット間に連結される循環ダクトと、前記循環ダクトの入口側に設けられ、湿った空気を凝縮させる凝縮機構と、前記循環ダクト上に設けられ、空気を強制循環させる送風機と、前記循環ダクト上に設けられ、循環空気を加熱するヒータと、を備えることが好ましい。
【００３７】
前記循環ダクトは、前記タブの外側面から送風機まで連結された入口ダクトと、前記送風機の出口から前記タブの前面まで連結され、内部にヒータが設けられたヒータダクトと、前記ヒータダクトから前記ガスケット間に連結される連結ダクトと、で構成されることが好ましい。
【００３８】
前記タブには、前記ヒータダクトを支持するためのダクトブラケットが設けられることが好ましい。
【００３９】
前記凝縮機構は、前記タブの側面に設けられ、湿った空気を凝縮させる金属材質の凝縮プレートと、前記循環ダクトの入口部またはタブから前記凝縮プレート側へ湿った空気を凝縮するための水を供給する冷却水供給部と、を備えることが好ましい。
【００４０】
前記ガスケットは、前記ドラムに固定され、前記タブ方向に延長するドラムガスケットと、前記キャビネットまたはタブに固定され、前記ドラム方向に延長するタブガスケットと、で構成されることが好ましい。
【００４１】
前記乾燥装置における循環空気の出口部は、前記ドラムガスケットとタブガスケットとの間に設けられることが好ましい。
前記ガスケットは、タブとドラムとの間において、前記乾燥装置を循環する空気を前記ドラムの内部へ導くように構成される。
【発明の効果】
【００４２】
本発明によれば、キャビネットとタブが一体となるので、洗濯機のサイズを縮小するか、または同一のサイズにおいて洗濯機の容量を大きくすることができる。
【００４３】
また、乾燥装置を備えているので、洗濯物を洗濯後にすぐに乾燥させることができる。
さらに、乾燥空気が循環するダクトが、タブとドラムとの間のガスケットを介さずに直接タブの内側に連結され、タブとドラムの開口部との間にはドラムガスケットが設けられるので、ドラムの内部へ流入する有効風量を極大化して洗濯物の乾燥効率を高めることができる。
【発明を実施するための最良の形態】
【００４４】
以下、本発明の好ましい実施形態を、添付図面に基づき詳細に説明する。
本発明によるドラム洗濯機の実施形態としては、様々のものがあり得るが、以下では、最も好ましい実施形態について説明する。
【００４５】
図２は、本発明によるドラム洗濯機を示す内部構成図であり、図３は、本発明によるドラム洗濯機を示す要部斜視図であり、図４は、図３における“Ａ”部分を示す一部切欠き斜視図である。
【００４６】
図示のように、本発明によるドラム洗濯機は、四角柱状型のキャビネット５０の内部に、洗濯水が貯水されるタブ５５が直接連設されている。即ち、一般の洗濯機では、タブがバネまたはダンパーによってキャビネットに連結されるが、本発明による洗濯機では、タブ５５が別途のダンパー手段を介さずに、キャビネット５０に直接固定された構造で設けられている。
【００４７】
このように前記タブ５５がキャビネット５０に直接設置されることによって、洗濯物の洗浄が行われるドラム６０と、このドラム６０を回転させるモータ６６のような振動要素は、後述するベアリングハウジング７５とサスペンション９０からなる支持装置によって前記キャビネット５０の内部に支持され、前記ドラム６０の回動時に発生する振動を緩和させるように構成される。
【００４８】
即ち、前記ドラム６０は、前記モータ６６と回転軸６９で連結されて回転するので、前記ドラム６０とモータ６６との間には、前記回転軸６９を支持する支持装置であるベアリング７１、７２が収納されたベアリングハウジング７５が設けられ、このベアリングハウジング７５に前記サスペンション９０が連結されることにより、前記ドラム６０とモータ６６のような振動要素が前記ベアリングハウジング７５によってキャビネット５０の内部に支持される。
【００４９】
また、前記ベアリングハウジング７５の前方には、タブ５５の後面に設けられ、前記回転軸６９とタブ５５との間の空間を緩衝するとともに、タブ５５の後面をシールする緩衝シール機構が設けられ、この緩衝シール機構は、前記タブ５５の後面を構成するブラケット８０と、前記ブラケット８０とタブ５５の後部との間に設けられ、前記振動要素からタブ５５側へ伝達される振動が遮断されるとともに、タブ５５の内部に貯水された水が外部に漏れないようにする後方ガスケット８５と、からなっている。
【００５０】
前記キャビネット５０、タブ５５、ドラム６０の前面には、洗濯物を投入または引出可能に開口部５０ａ、５５ａ、６０ａがそれぞれ設けられ、前記タブ５５とドラム６０の開口部との間へ異物が落ち込まず、また洗い及び脱水作動の際にドラム６０がタブ５５と衝突しないように、前記タブ５５とドラム６０との間にはガスケット５８、６４がそれぞれ設けられている。
【００５１】
さらに、このようなドラム洗濯機は、洗濯済みの洗濯物を乾かすように乾燥装置１００を備えている。
【００５２】
前記乾燥装置１００は、前記タブ５５の後上方の側面から前記タブ５５の前面側である前記ガスケット５８、６４間に連設され、ドラム６０内の空気を循環させながらドラム中の洗濯物を乾燥させることができるように構成される。
以下、このように構成される本発明によるドラム洗濯機における主要構成部分について詳しく説明する。
【００５３】
前記キャビネット５０は、一般の洗濯機のように四角柱状に形成されることが好ましく、前面には、前記タブ５５の内部を開閉させるドア５２が設けられている。
前記タブ５５は、前記キャビネット５０の前面に直接固設されるタブ本体５６と、前記タブ本体５６の後方に結合され、中央部分に前記ブラケット８０と後方ガスケット８５が設けられるようにリング状に形成されたタブカバー５７と、を備えている。
【００５４】
前記ドラム６０は、その後部が前記回転軸６９に連結され支持されており、このため、後面に前記回転軸６９が連結されるハブ６５が設けられている。また、前記ドラム６０の内側面には、ドラム内に洗濯物を持ち上げて落下させる複数枚のリフト６３が設けられている。さらに、前記ドラム６０の前面と後面には、ドラムの回動時にバランス作用を果たすバランス機構６１、６２が設けられている。
【００５５】
また、前記サスペンション９０は、前記ベアリングハウジング７５に連結されたダンパーブラケット９１と、キャビネット５０の底面に連結されたダンパー９３、９５と、からなり、中央にはメインダンパー９３が傾斜して位置し、また、このメインダンパー９３の両方にはサブダンパー９５が垂直方向に位置しているので、振動要素から発生する振動を吸収するようになる。
【００５６】
前記ガスケット５８、６４は、前記キャビネット５０またはタブ５５に固定され、前記ドラム６０方向に延長するタブガスケット５８と、前記ドラム６０に固定され、前記タブ５５方向に延長するドラムガスケット６４と、で構成される。
【００５７】
ここで、前記ドラムガスケット６４は、前記乾燥装置１００を循環する空気を前記ドラム６０の内部へ導く乾燥空気案内部材としての役割を果たすようになる。
前記乾燥装置１００は、前記タブ５５の外側面から前記タブ５５の前面側に連設される循環ダクト１１０と、前記循環ダクト１１０の入口側に設けられ、湿った空気を凝縮させる凝縮機構１２０と、前記循環ダクト１１０上に設けられ、空気を強制循環させる送風機１３０と、前記循環ダクト１１０上に設けられ、循環空気を加熱するヒータ１４０と、を備えている。
【００５８】
前記循環ダクト１１０は、前記タブ５５の後上方の外側面から前記送風機１３０まで連設された入口ダクト１１１と、前記送風機１３０の出口ダクト１３２から前記タブ５５の前面側に連設され、内部にヒータ１４０が設けられたヒータダクト１１３と、前記ヒータダクト１１３から前記タブ５５の前面に連設される連結ダクト１１５と、から構成されている。
【００５９】
ここで、前記入口ダクト１１１には、循環空気の温度を測定する温度感知センサ１１２が設けられ、前記タブ５５の上部には、前記ヒータ１４０で発生した熱がタブ５５に輻射することを防止することができるように、前記ヒータダクト１１３をタブ５５から一定間隔だけ離隔した状態で支持するためのダクトブラケット１５０が設けられている。
【００６０】
前記循環ダクト１１０の出口部１１７を構成する連結ダクト１１５の端部は、図４に示すように、前記ドラムガスケット６４とタブガスケット５８との間に位置するようになる。
【００６１】
前記凝縮機構１２０は、前記タブ５５の内側面に設けられ、湿った空気を凝縮させる金属材質の凝縮プレート１２５と、前記循環ダクト１１０の入口部またはタブ５５から前記凝縮プレート１２５側へ湿った空気を凝縮するための水を供給する冷却水供給部１２２と、から構成されている。
【００６２】
次に、上記のように構成される本発明によるドラム洗濯機の作用について説明する。
【００６３】
本発明において、タブ５５が前記キャビネット５０に直接設置されることにより、キャビネット５０が従来のドラム洗濯機のキャビネットと同体積を有する場合、タブ５５のサイズを最大限大きくすることができるようになる。このため、前記タブ５５の内部に設けられるドラム６０のサイズも相対的に大きくすることができるので、キャビネット５０のサイズを大きくしなくても、全体的に洗濯機の洗濯容量を増加させることができる。
【００６４】
このような本発明によるドラム洗濯機は、脱水行程が終わって乾燥行程が進行すると、ドラム６０が徐々に回転するとともに、送風機１３０とヒータ１４０が作動しながらドラム６０の内部に熱風を循環、供給して洗濯物を乾燥させる。
【００６５】
即ち、前記ヒータダクト１１３を通過しながらヒータ１４０によって加熱された熱風は、連結ダクト１１５からタブ５５の内部へ吐き出され、吐き出された熱風は、ドアガラス５３で反射されてドラム６０の内部へ流入された後、洗濯物を乾燥させるようになる。
【００６６】
このとき、前記ドラム６０とタブ５５との間には、ドラム６０に設けられてタブ方向に延長するドラムガスケット６４が乾燥空気案内部材の役割を果たすので、前記連結ダクト１１５から吐き出された熱風の大部分は、ドラム６０の内部へ流入されて洗濯物を乾燥させた後、タブ５５から抜け出るようになる。従って、前記ドラムガスケット６４によって、前記連結ダクトから排出された熱風が直接タブ５５の内部に流入される量が最小化するので、洗濯物の乾燥効率を高めることができる。
【００６７】
このようにドラム６０内部の洗濯物を乾燥させた湿った空気は、ドラム６０の側面及び後面に設けられた複数の孔を通ってタブ５５の側面に設けられた凝縮プレート１２５に接触しながら高温多湿の空気が凝縮され、タブ５５の底面に設けられた排水装置から洗濯機の外部へ排出される。このとき、前記凝縮プレート１２５には、冷却水供給部１２２から水が継続または間欠的に供給されるので、前記凝縮プレート１２５は、冷たい状態を維持しながら湿った空気を凝縮させることができるようになる。
【００６８】
このように湿気がある程度凝縮した空気は、送風機１３０を通って再度ヒータダクト１１３の内部に流入された後、ヒータ１４０によって加熱され、このように加熱された空気は、再度ドラム６０の内部へ供給されて洗濯物を乾燥させる作動を続けて行うようになる。
【図面の簡単な説明】
【００６９】
【図１】従来の乾燥装置が備えられたドラム洗濯機を示す内部構成図である。
【図２】本発明によるドラム洗濯機を示す内部構成図である。
【図３】本発明によるドラム洗濯機を示す要部斜視図である。
【図４】図３における“Ａ”部分を示す一部切欠き斜視図である。
【符号の説明】
【００７０】
５０    キャビネット
５２    ドア
５３    ドアガラス
５５    タブ
５８    タブガスケット
６０    ドラム
６１、６２    バランス機構
６４    ドラムガスケット
６６    モータ
６９    回転軸
７１、７２    ベアリング
７５    ベアリングハウジング又は支持装置
８０    ブラケット又は緩衝シール機構
８５    後方ガスケット又は緩衝シール機構
９０    サスペンション
９１    ダンパーブラケット
９３    メインダンパー
９５    サブダンパー
１００    乾燥装置
１１０    循環ダクト
１１１    入口ダクト
１１３    ヒータダクト
１１５    連結ダクト
１１７    出口部
１２０    凝縮機構
１２２    冷却水供給部
１２５    凝縮プレート
１３０    送風機
１４０    ヒータ
１５０    ダクトブラケット
【図１】
2006212413.tif 000003
【図２】
2006212413.tif 000004
【図３】
2006212413.tif 000005
【図４】
2006212413.tif 000006